(57)【要約】【課題】搬送ライン上のどの面内位置に無線タグが位置しても、交信不良を生じる虞が無いタグ情報管理用アンテナ及びそれを用いたタグ情報管理装置を提供する。【解決手段】搬送ライン２により搬送される物品に付されたタグ４の情報を読み取り、又はタグ４に情報を書き込むタグ情報管理用アンテナ１を有するタグ情報管理装置であって、タグ情報管理用アンテナ１は、搬送ラインを挟んで相対向する二つのＬ字状アンテナ１Ａ，１Ｂにより構成され、各Ｌ字状アンテナ１Ａ，１Ｂは、搬送ライン２の側部に沿ってループ面が立設される第１長方形型ループアンテナ１ａ，１ｃと、第１長方形型ループアンテナ１ａ，１ｃの下辺近傍に沿う一辺を有し、搬送ラインの搬送面と平行に、且つ搬送面から所定の距離を有して設けられる第２長方形型ループアンテナ１ｂ、１ｄとを備えてなる。【選択図】        図１
2004206512.tif 000002
【特許請求の範囲】
【請求項１】
搬送ラインにより搬送される物品に付されたタグの情報を読み取り、又はタグに情報を書き込むタグ情報管理用アンテナを有するタグ情報管理装置であって、
前記タグ情報管理用アンテナは、搬送ラインを挟んで相対向する二つのＬ字状アンテナにより構成され、
各Ｌ字状アンテナは、搬送ラインの側部に沿ってループ面が立設される第１長方形型ループアンテナと、第１長方形型ループアンテナの上辺又は下辺近傍に沿う一辺を有し、搬送ラインの搬送面と平行に設けられる第２長方形型ループアンテナとを備えてなるタグ情報管理装置。
【請求項２】
請求項１に記載のタグ情報管理装置において、
前記搬送ラインにより搬送される物品が前記タグ情報管理用アンテナから所定の距離範囲にある間に、第１長方形型ループアンテナ、又は第２長方形型ループアンテナの少なくともいずれか一方の電流方向を切り換えて、第１長方形型ループアンテナ及び第２長方形型ループアンテナにより形成される磁界方向を１８０度切り換える位相制御手段を備えたことを特徴とするタグ情報管理装置。
【請求項３】
請求項１又は請求項２に記載のタグ情報管理装置において、
前記搬送ラインを挟んで相対向する二つの前記Ｌ字上アンテナから構成される前記タグ情報管理用アンテナを二組設け、これらを互いに突き合わせて略筒状アンテナを構成し、この略筒状アンテナ内を前記搬送ラインにより搬送される物品が通過するようにしたことを特徴とするタグ情報管理装置。
【請求項４】
搬送ラインにより搬送される物品に付されたタグの情報を読み取り、又はタグに情報を書き込むタグ情報管理用アンテナであって、
前記搬送ラインを挟んで相対向する二つのＬ字状アンテナにより構成され、
各Ｌ字状アンテナは、搬送ラインの側部に沿ってループ面が立設される第１長方形型ループアンテナと、第１長方形型ループアンテナの上辺又は下辺近傍に沿う一辺を有し、搬送ラインの搬送面と平行に設けられる第２長方形型ループアンテナとを備えてなるタグ情報管理用アンテナ。
【発明の詳細な説明】
【０００１】
【発明の属する技術分野】
本発明は、搬送ラインにより搬送される物品に付されたタグの情報を読み取り、又はタグに情報を書き込むタグ情報管理用アンテナ及びそれを有するタグ情報管理装置に関するものである。
【０００２】
【従来の技術】
従来より、搬送される物品に無線タグを取り付け、ループアンテナにより、無線タグの情報を読み取り、或いは書き込むようにしたタグ情報管理装置が知られる（例えば特許文献１参照）。このタグ情報管理用アンテナ１は図６に示すように、搬送ライン２の側部において立設される長方形状の第１ループアンテナ１ａと、その下辺近傍より搬送ラインの下方に搬送ラインの搬送面と平行に付設される長方形状の第２ループアンテナ１ｂとを有する。
【０００３】
【特許文献１】
特開２００２−１８５２４６号公報（第２−３頁、図１）
【０００４】
【発明が解決しようとする課題】
かかる従来のタグ情報管理装置においては、タグ情報管理用アンテナ１が搬送ライン２に対する左右対称形をしておらず、従って、搬送ライン２の面内位置において、磁界の強度に偏りが生じる。さらに搬送ライン２の第１ループアンテナ１ａが設けられる側部と反対側の側部上方における位置において磁界が弱くなり、その位置に無線タグ４が位置するような場合に、無線タグ４とタグ情報管理用アンテナ１との十分な交信が行えなくなる虞がある。また、従来のタグ情報管理装置においては、第１ループアンテナ１ａと第２ループアンテナ１ｂの電流（方向）が、搬送方向上流側から見て、図７（ａ）に示すように形成する場合は、同図のような磁界Ｈが発生し、その磁界方向に平行なタグ面を有する無線タグ４との交信ができなくなる。また、図７（ｂ）に示すように形成する場合は、同図のような磁界が発生し、図７（ａ）の場合と直交する方向のタグ面を有する無線タグ４との交信ができなくなる。
【０００５】
本発明は、上述した課題を解決するために成されたものであり、搬送ライン上のどの面内位置に無線タグが位置しても、交信不良を生じる虞が無いタグ情報管理用アンテナ及びそれを用いたタグ情報管理装置を提供することを目的とし、また、無線タグの面がどの方向を向いていても、無線タグとの交信が可能となり、もって信頼性の高いタグ情報管理用アンテナ及びタグ情報管理装置を提供することを目的とする。
【０００６】
【課題を解決するための手段】
上述した課題を解決するために、本発明は、搬送ラインにより搬送される物品に付されたタグの情報を読み取り、又はタグに情報を書き込むタグ情報管理用アンテナを有するタグ情報管理装置であって、前記タグ情報管理用アンテナは、搬送ラインを挟んで相対向する二つのＬ字状アンテナにより構成され、各Ｌ字状アンテナは、搬送ラインの側部に沿ってループ面が立設される第１長方形型ループアンテナと、第１長方形型ループアンテナの上辺又は下辺近傍に沿う一辺を有し、搬送ラインの搬送面と平行に設けられる第２長方形型ループアンテナとを備えてなるものである。
【０００７】
また、本発明のタグ情報管理装置においては、前記搬送ラインにより搬送される物品が前記タグ情報管理用アンテナから所定の距離範囲にある間に、第１長方形型ループアンテナ、又は第２長方形型ループアンテナの少なくともいずれか一方の電流方向を切り換えて、第１長方形型ループアンテナ及び第２長方形型ループアンテナにより形成される磁界方向を１８０度切り換える位相制御手段を備えたことを特徴とする。
【０００８】
更に、本発明のタグ情報管理装置においては、前記搬送ラインを挟んで相対向する二つの前記Ｌ字上アンテナから構成される前記タグ情報管理用アンテナを二組設け、これらを互いに突き合わせて略筒状アンテナを構成し、この略筒状アンテナ内を前記搬送ラインにより搬送される物品が通過するようにしたことを特徴とする。
【０００９】
また、本発明は、搬送ラインにより搬送される物品に付されたタグの情報を読み取り、又はタグに情報を書き込むタグ情報管理用アンテナであって、前記搬送ラインを挟んで相対向する二つのＬ字状アンテナにより構成され、各Ｌ字状アンテナは、搬送ラインの側部に沿ってループ面が立設される第１長方形型ループアンテナと、第１長方形型ループアンテナの上辺又は下辺近傍に沿う一辺を有し、搬送ラインの搬送面と平行に設けられる第２長方形型ループアンテナとを備えてなるものである。
【００１０】
【発明の実施の形態】
以下、本発明の実施の形態を図面を用いて説明する。
実施の形態１．
図１は本発明の実施の形態１におけるタグ情報管理装置の全体構成を示す図、図２は実施の形態１のタグ情報管理用アンテナを示す斜視図、図３、図４は実施の形態１の動作を示す図である。
実施の形態のタグ情報管理装置は、搬送ラインの両側部に相対向するように設けられた二組のＬ字状アンテナ１Ａ，１Ｂからなるタグ情報管理用アンテナ１と、タグ情報管理用アンテナ１を構成する後述するループアンテナの電流の位相を反転する位相反転器７，８と、各ループアンテナ１ａ〜１ｄへの電力供給を分配して行う分配器９〜１１と、無線タグの情報を読み取り、或いは無線タグに情報を書き込むリードライト装置５と、リードライト装置５と接続され、リードライト装置５を制御、管理するＰＣ６とを備えて構成される。
【００１１】
タグ情報管理用アンテナ１を構成するＬ字状アンテナ１Ａ，１Ｂは、ループ面が搬送ラインの側部に沿って立設される第１長方形型ループアンテナ１ａ，１ｄと、第１長方形型ループアンテナの下辺近傍において、その下辺と略平行に設けられる一辺を有し、そのループ面が搬送ラインの搬送面と平行に、且つ搬送面の下方に搬送面から所定の距離を有して設けられる第２長方形型ループアンテナ１ｂ、１ｃとを備え、タグ情報管理用アンテナ１はこのＬ字状アンテナ１Ａ、１Ｂのペアを搬送ライン２を挟んで対向するように設けて構成される。
【００１２】
位相反転器７，８は、前記搬送ラインにより搬送される物品が前記タグ情報管理用アンテナから所定の距離範囲にある間に、第１長方形型ループアンテナ１ａ，１ｃ、又は第２長方形型ループアンテナ１ｂ、１ｃの少なくともいずれか一方（ここでは第１長方形型ループアンテナ）の電流方向を切り換えて、第１長方形型ループアンテナ及び第２長方形型ループアンテナにより形成される磁界方向を１８０度切り換えるものであり、本発明の位相制御手段を構成している。
【００１３】
この位相反転器７，８の動作を図３及び図４を用いて説明すると、位相反転器７と位相反転器８は互いに１８０度位相がずれて第１長方形型ループアンテナに流れる電流方向を切り換える。これにより第１長方形型ループアンテナ１ａ，１ｃの上辺を図１の紙面垂直方向に流れる電流は、図３（ｂ）に示されるように、図３（ｃ）のタイミング毎にいずれかの向きが反対となり、それにより生じる磁界の向きは、図４に示されるように互いに直交する方向に切り替わる。これにより、無線タグの面が従来の図で示したいずれの方向を向いていていも、支障無く無線タグとアンテナ間での交信を行うことが可能となる。
【００１４】
また、このようなループアンテナによれば、搬送面内の位置に拘わらず磁界の強度を略均一にすることができ、搬送面に載置される物品の面内位置に拘わらず、信頼性ある交信を行うことが可能となる。
【００１５】
実施の形態２．
実施の形態はＬ字状アンテナを二組設けてタグ情報管理アンテナを構成する場合について説明したが、この構成では、搬送ライン２から高い場所における磁界が弱くなり、無線タグの位置が高い位置で搬送された場合に交信ができなくなる虞れがある。そこで、高さ方向に一定の磁界強度を維持するため、実施の形態１で説明したタグ情報管理アンテナを上下に二組設け、それらを相対向するように互いに突き合わせて略筒状アンテナを構成し、この略筒状アンテナ内を搬送ラインにより搬送される物品が通過するようにした。
この構成によれば、高さ方向において、磁界が弱くなることはなく、高さ位置に拘わらず、全ての方向を向く無線タグと確実に交信を行うことができる。
【００１６】
【発明の効果】
上述したように、本発明によれば、搬送ライン上のどの面内位置に無線タグが位置しても、交信不良を生じる虞が無いタグ情報管理用アンテナ及びそれを用いたタグ情報管理装置を提供することを目的とし、また、無線タグの面がどの方向を向いていても、無線タグとの交信が可能となり、もって信頼性の高いタグ情報管理用アンテナ及びタグ情報管理装置を提供することができるという効果を奏する。
【図面の簡単な説明】
【図１】本発明の実施の形態１におけるタグ情報管理装置の全体構成を示す図である。
【図２】実施の形態１のタグ情報管理用アンテナを示す斜視図である。
【図３】実施の形態１の動作を示す図として電流の位相制御を示す図ある。
【図４】実施の形態１の動作として磁界の切替え方向を示す図である。
【図５】実施の形態２のタグ情報管理用アンテナを示す斜視図である。
【図６】従来のタグ情報管理装置の全体構成を示す図である。
【図７】従来技術の動作を示す図である。
【符号の説明】
１  タグ情報管理用アンテナ、１Ａ，１Ｂ  Ｌ字状アンテナ、１ａ，１ｃ  第１長方形型ループアンテナ、１ｂ、１ｄ  第２長方形型ループアンテナ、２  搬送ライン、４  無線タグ、５  リーダライタ、６  パソコン、７，８  位相反転器、９，１０，１１  分配合成器。
【図１】
2004206512.tif 000003
【図２】
2004206512.tif 000004
【図３】
2004206512.tif 000005
【図４】
2004206512.tif 000006
【図５】
2004206512.tif 000007
【図６】
2004206512.tif 000008
【図７】
2004206512.tif 000009